(57)【要約】      （修正有）【課題】ＳＵＶやミニバン等の種々の自動車の後部荷物室や家庭のキッチン等に簡単に設置することができ、しかも荷物の量やサイズに合わせて収納スペースの調整変更が可能な収納棚装置を提供する。【解決手段】互いに略同サイズの方形の底板２、天板３および棚板４を備え、底板２の四隅に回転自在に立設された雄ネジ支柱５が棚板４の四隅を貫通して天板３まで伸び、棚板４における前記雄ネジ支柱５の貫通部分には、該雄ネジ支柱５と螺合する雌ネジ孔が形成され、各雄ネジ支柱５の下部にスプロケットが装着され、各スプロケットにはチェーンが架け渡され、これらチェーンを介して電動モータ等で各雄ネジ支柱５を正逆回転させることで棚板４が昇降自在となされている。【選択図】図１
2020146201.tif 000002
【特許請求の範囲】
【請求項１】
互いに略同サイズの方形の底板、天板および棚板を備え、底板の四隅に回転自在に立設された雄ネジ支柱が棚板の四隅を貫通して天板まで伸び、棚板における前記雄ネジ支柱の貫通部分には、該雄ネジ支柱と螺合する雌ネジ孔が形成され、各雄ネジ支柱の上部または下部にスプロケットまたはプーリーが装着され、各スプロケットにはチェーンが架け渡され、各プーリーにはベルトが架け渡され、これらチェーンまたはプーリーを介して手動または電動で各雄ネジ支柱を正逆回転させることで棚板が昇降自在となされている、収納棚装置。
【請求項２】
底板の各角部からその上方の棚板および天板の各角部まで伸びる横断面略Ｌ字状のガイドフレームを更に有し、各ガイドフレームの内面軌道部に沿って棚板が昇降する、請求項１記載の収納棚装置。
【請求項３】
底板、棚板および天板の各両側および各後側を覆う両側壁部と後側壁部を備えたガイドジャケットを更に有し、ガイドジャケットの両側壁部と後側壁部の内面軌道部に沿って棚板が昇降する、請求項１記載の収納棚装置。
【請求項４】
各雄ネジ支柱に装着されたチェーンまたはプーリーに係合する駆動スプロケットまたは駆動プーリーを更に有し、これら駆動スプロケットまたは駆動プーリーが手動／電動切り換え手段によって、ハンドルまたはモータで選択的に回動するようになされている、請求項１〜請求項３のうちのいずれか一項記載の収納棚装置。
の収納棚装置。
【請求項５】
いずれかの雄ネジ支柱が、一対の噛み合うベベルギアを介して手動または電動で直接的に回転し、他の雄ネジ支柱がチェーンまたはスプロケットを介して従動する、請求項１〜請求項３のうちのいずれか一項記載の収納棚装置。
【発明の詳細な説明】
【技術分野】
【０００１】
本発明は、所謂ＳＵＶやミニバン等のワンボックスカーの後部荷室や家庭のキッチン等における収納スペースを有効に活用するための収納棚装置に関する。
【背景技術】
【０００２】
従来、自動車の後部荷室のスペースにおける収納装置としては、所謂、跳ね上げ式の荷室扉を有する開閉自在な後部荷室に、基礎部分となる棚ベースと、棚ベース上に立設された前後左右の枠体と、枠体内に、所定の段数だけ設けられた棚板を有する荷物棚を設置し、該荷物棚がリンク機構を介して前記後部扉に連結され、後部扉を開けると荷物棚がスライドして出てくる構造のものが知られている。
【先行技術文献】
【特許文献】
【０００３】
【特許文献１】特開２０１４−０８３８５８号公報
【発明の概要】
【発明が解決しようとする課題】
【０００４】
前述した従来の収納装置の場合、荷物棚は、予め荷室のスペースに合わせて製作しておく必要があり、所謂、自動車ごとに専用のものを製作する必要があった。しかも、前述した通り、リンク機構を介して荷物棚がスライド自在に出し入れされる構造は非常に複雑であるため、実質的には自動車ごとの組み込み作業によって実現されるものであった。
【０００５】
そのため、用途が荷物を配達のための業務用車両に限定され、一般の自家用自動車には設置できないものであった。
【０００６】
また、近年、ＳＵＶやミニバン等の大幅な増加に伴って、車中泊やキャンプを行うユーザーが増え、そのため、車中泊のための寝具や食事のための食器、食品および調理器具、並びに衣類といった多くの荷物を後部荷室に積み込む必要があるが、後部荷室のスペースを有効に活用するための収納装置がなかったため、後部荷室に前述した種々の荷物を適当に積み重ねて収納する場合が多い。しかしながら、適当に積み上げられた荷物は、自動車の走行中に荷崩れを起こし易い。
【０００７】
この他、前述した車中泊に使用するための組立て式ベットが市販されているが、これは後部荷室および後部座席を含む広範な車内スペースに人が横たわれる寝台を形成するためのもので、荷物を収納するものではなかった。
【０００８】
本発明の目的は、ＳＵＶやミニバン等の種々の自動車の後部荷室や家庭のキッチン等に簡単に設置することができ、しかも荷物の量やサイズに合わせて収納スペースの調整が可能な収納棚装置を提供することにある。
【課題を解決するための手段】
【０００９】
請求項１記載の本発明は、互いに略同サイズの方形の底板、天板および棚板を備え、底板の四隅に回転自在に立設された雄ネジ支柱が棚板の四隅を貫通して天板まで伸び、棚板における前記雄ネジ支柱の貫通部分には、該雄ネジ支柱と螺合する雌ネジ孔が形成され、各雄ネジ支柱の上部または下部にスプロケットまたはプーリーが装着され、各スプロケットにはチェーンが架け渡され、各プーリーにはベルトが架け渡され、これらチェーンまたはプーリーを介して手動または電動で各雄ネジ支柱を正逆回転させることで棚板が昇降自在となされている収納棚装置である。なお、本発明に係る収納棚装置においては、前記雄ネジ支柱と雌ネジ孔との螺合について、所謂ボールネジを使用することも含まれる。
【００１０】
請求項２記載の本発明は、前記請求項１記載の収納棚装置について、底板の各角部からその上方の棚板および天板の各角部まで伸びる横断面略Ｌ字状のガイドフレームを更に有し、各ガイドフレームの内面軌道部に沿って棚板が昇降することを特徴とする。
【００１１】
請求項３記載の本発明は、前記請求項１記載の収納棚装置について、底板、棚板および天板の各両側および各後側を覆う両側壁部と後側壁部を備えたガイドジャケットを更に有し、ガイドジャケットの両側壁部と後側壁部の内面軌道部に沿って棚板が昇降することを特徴とする。
【００１２】
請求項４記載の本発明は、前記請求項１〜請求項３のうちのいずれか一項記載の収納棚装置について、各雄ネジ支柱に装着されたチェーンまたはプーリーに係合する駆動スプロケットまたは駆動プーリーを更に有し、これら駆動スプロケットまたは駆動プーリーが手動／電動切り換え手段によって、ハンドルまたはモータによって、選択的に回動されるものである。
【００１３】
請求項５記載の本発明は、前記請求項１〜請求項３のうちのいずれか一項記載の収納棚装置について、いずれかの雄ネジ支柱が、一対の噛み合うベベルギアを介して手動または電動で直接的に回転し、他の雄ネジ支柱がチェーンまたはスプロケットを介して従動することを特徴とする。
【発明の効果】
【００１４】
本発明に係る収納棚装置は、前述した構成であるため、ＳＵＶやミニバンといった種々の自家用自動車の荷室に簡単に載置することができ、従来の専用品のような組み込み設置作業も不要である。また、自動車以外の一般家庭の流し台や洗面、或いはクローゼット等の収納スペースにも簡単に設置でき、これら収納スペースにおけるデッドスペースの発生を解消して有効な収納空間を形成することができる。
【００１５】
そして、本発明に係る収納棚装置では、各雄ネジ支柱に架け渡されたチェーンまたはベルトを介して手動または電動で各雄ネジ支柱を正逆回転させるだけで底板と天板との間の棚板が昇降して該棚板の上方の天板との間隔および棚板の下方の底板との間隔を収納する荷物の量やサイズに合わせて適宜調整変更することができるため、前記自動車の荷室の他、一般家庭におけるキッチンやクローゼット等における収納スペースの有効活用が可能となる。
【００１６】
更に、ガイドジャケットやガイドフレームを備えた本発明の収納棚装置によれば、前述した棚板の昇降がより安定的に行え、しかも収納装置全体としての強度が高められるため、特に自動車の荷室に載置した場合に、走行中の揺れ等に対していっそう強固に対応することができる。
【図面の簡単な説明】
【００１７】
【図１】本発明の実施形態に係る収納棚装置が載置されたワンボックスカーのハッチバックを開いた状態の正面図である。
【図２】同実施形態に係る収納棚装置の断面図である。
【図３】図２におけるＡ−Ａ線断面図である。
【図４】図２におけるＢ−Ｂ線断面図である。
【図５】図４と同位置における断面図であって、ガイドジャケットをガイドフレームに変更した場合を示す。
【図６】本発明の他の実施形態に係る収納棚装置の断面図である。
【発明を実施するための形態】
【００１８】
次に、本発明の実施形態を図面にしたがって説明するが、本発明はかかる実施形態に限定されるものではない。
【００１９】
図１〜図４に示すように、本実施形態に係る収納棚装置１は、例えばミニバン等のワンボックスカーＣＢの後部荷室ＢＲに載置されて、該後部荷室ＢＲのスペースの有効利用を図るために用いられる。
【００２０】
収納棚装置１は、互いに略同サイズの方形の底板２、天板３および棚板４を備え、底板２の四隅に回転自在に立設された雄ネジ支柱５が棚板４の四隅を貫通して天板３まで伸び、棚板４における前記雄ネジ支柱５の貫通部分には、該雄ネジ支柱５と螺合する雌ネジ孔６が形成され、各雄ネジ支柱５の下部にスプロケット７が装着され、各スプロケット７にはチェーン８が架け渡され、これらチェーン８を介して電動モータＭで各雄ネジ支柱５を正逆回転させることで棚板４が昇降自在となされているものである。
【００２１】
なお、前記スプロケット７はプーリーに、前記チェーン８はベルトに変更される場合もある。
【００２２】
雄ネジ支柱５は、その上下両端部５ａ・５ｂが底板２と天板３内に組み込まれた軸受部材としてのボールベアリング９によって回転自在に立設されている。
【００２３】
また、雌ネジ孔６は、本実施形態では、棚板４内に内設されたナット１１によって形成されている。
【００２４】
更に、本実施形態の収納棚装置１では、各雄ネジ支柱５に装着されたチェーン８に係合する駆動スプロケット１２の支軸１３に手動／電動切り換え手段として、下端部がモータＭと連結され、上端部にはＬ字形のハンドルＨの基部が嵌め入れられる方形穴１４が形成されている。そして、このような切り換え手段によって、ハンドルＨとモータＭで選択的に雄ネジ支柱５が回動するようになされている。すなわち、前記手動／電動切り換え手段である支軸１３と方形穴１４によって、手動または電動で駆動スプロケット１２が自転する。そのため、方形穴１４に前記ハンドルＨが装着されていない場合には、モータＭによって電動で雄ネジ支柱５が回動され、ハンドルＨが前記方形穴１４に装着されている場合には、モータＭを使用せず（省略）、ハンドルＨを回して棚板４を回動させる。
【００２５】
なお、雄ネジ支柱５を正逆に回転させるための機構は、既に公知の種々のものを利用する。例えばモータＭでは、減速装置や正逆回転の切り替えを行う制御回路基盤を設けたり、手動ハンドルＨの場合は、双方向の機械的な回転構造とする。
【００２６】
また、本実施形態の収納棚装置１は、前述した底板２、天板３および棚板４の各両側および各後側を覆う両側壁部１５ａと後側壁部１５ｂを備えたガイドジャケット１５が設けられ、ガイドジャケット１５の両側壁部１５ａと後側壁部１５ｂの内面軌道部１６に沿って棚板４が昇降する構造となされている。
【００２７】
図５に示すように、本発明に係る収納棚装置１では、前述した両側壁部１５ａと後側壁部１５ｂを備えたガイドジャケット１５に代えて、底板２の各角部２ａからその上方の天板３および棚板４の各角部３ａ・４ａまで伸びる横断面略Ｌ字状のガイドフレーム３５を設ける場合もある。この場合、ガイドフレーム３５の内面軌道部３５ａに沿って棚板４が昇降する。
【００２８】
図６に示すように、本発明の収納棚装置２１は、前述した収納棚装置１と同様の基本構成とし、棚板４の昇降機構を変更したものである。
【００２９】
すなわち、収納棚装置２１は、互いに略同サイズの方形の底板２２、天板２３および棚板２４を備え、底板２２の四隅に回転自在に立設された雄ネジ支柱２５が棚板２４の四隅を貫通して天板２３まで伸び、棚板２４における前記雄ネジ支柱２５の貫通部分には、該雄ネジ支柱２５と螺合する雌ネジ孔２６が形成され、各雄ネジ支柱２５の下部にスプロケット２７が装着され、各スプロケット２７にはチェーン２８が架け渡され、これらチェーン２８を介して電動モータＭで各雄ネジ支柱２５を正逆回転させることで棚板２４が昇降自在となされているものである。
【００３０】
そして、本実施形態の収納棚装置２１では、その側方に前記モータＭを設置し、該モータＭの駆動シャフトＭ１の先端と隣り合う１本の雄ネジ支柱２５の下端部とに互いに噛み合うべべルギア３１・３２が取り付けられ、これらべべルギア３１・３２を介して各雄ネジ支柱２５が正逆に回転することで、棚板２４が昇降する構造となされている。
【００３１】
なお、図中２９は軸受部材としてのボールベアリングを示す。
【産業上の利用可能性】
【００３２】
本発明の収納棚装置によれば、昇降する棚板の位置によって、該棚板と底板並びに該棚板と天板の間隔を収納しようとする荷物の量やその大きさに合わせて適宜変更し得るため、自動車用品やキッチン用品等の分野において幅広い利用が期待できる。
【符号の説明】
【００３３】
１・２１  収納棚装置
２・２２  底板
３・２３  天板
４・２４  棚板
５・２５  雄ネジ支柱
６・２６  雌ネジ孔
７・２７  スプロケット
８・２８  チェーン
１５  ガイドジャケット
３５  ガイドフレーム
Ｍ  モータ
Ｈ  ハンドル
【図１】
2020146201.tif 000003
【図２】
2020146201.tif 000004
【図３】
2020146201.tif 000005
【図４】
2020146201.tif 000006
【図５】
2020146201.tif 000007
【図６】
2020146201.tif 000008
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
互いに略同サイズの方形の底板、天板および棚板を備え、底板の四隅に回転自在に立設された雄ネジ支柱が棚板の四隅を貫通して天板まで伸び、棚板における前記雄ネジ支柱の貫通部分には、該雄ネジ支柱と螺合する雌ネジ孔が形成され、各雄ネジ支柱の上部または下部にスプロケットまたはプーリーが装着され、各スプロケットにはチェーンが架け渡され、各プーリーにはベルトが架け渡され、これらチェーンまたはプーリーを介して手動または電動で各雄ネジ支柱を正逆回転させることで棚板が昇降自在となされており、底板の各角部からその上方の棚板および天板の各角部まで伸びる横断面略Ｌ字状のガイドフレームを更に有し、各ガイドフレームの内面軌道部に沿って棚板が昇降することを特徴とする、収納棚装置。
【請求項２】
互いに略同サイズの方形の底板、天板および棚板を備え、底板の四隅に回転自在に立設された雄ネジ支柱が棚板の四隅を貫通して天板まで伸び、棚板における前記雄ネジ支柱の貫通部分には、該雄ネジ支柱と螺合する雌ネジ孔が形成され、各雄ネジ支柱の上部または下部にスプロケットまたはプーリーが装着され、各スプロケットにはチェーンが架け渡され、各プーリーにはベルトが架け渡され、これらチェーンまたはプーリーを介して手動または電動で各雄ネジ支柱を正逆回転させることで棚板が昇降自在となされており、底板、棚板および天板の各両側および各後側を覆う両側壁部と後側壁部を備えたガイドジャケットを更に有し、ガイドジャケットの両側壁部と後側壁部の内面軌道部に沿って棚板が昇降することを特徴とする、収納棚装置。
【請求項３】
各雄ネジ支柱に装着されたチェーンまたはプーリーに係合する駆動スプロケットまたは駆動プーリーを更に有し、これら駆動スプロケットまたは駆動プーリーが手動／電動切り換え手段によって、ハンドルまたはモータで選択的に回動するようになされている、請求項１または請求項２記載の収納棚装置。
【請求項４】
いずれかの雄ネジ支柱が、一対の噛み合うベベルギアを介して手動または電動で直接的に回転し、他の雄ネジ支柱がチェーンまたはスプロケットを介して従動する、請求項１または請求項２記載の収納棚装置。
【手続補正２】
【補正対象書類名】明細書
【補正対象項目名】全文
【補正方法】変更
【補正の内容】
【発明の詳細な説明】
【技術分野】
【０００１】
本発明は、所謂ＳＵＶやミニバン等のワンボックスカーの後部荷室や家庭のキッチン等における収納スペースを有効に活用するための収納棚装置に関する。
【背景技術】
【０００２】
従来、自動車の後部荷室のスペースにおける収納装置としては、所謂、跳ね上げ式の荷室扉を有する開閉自在な後部荷室に、基礎部分となる棚ベースと、棚ベース上に立設された前後左右の枠体と、枠体内に、所定の段数だけ設けられた棚板を有する荷物棚を設置し、該荷物棚がリンク機構を介して前記後部扉に連結され、後部扉を開けると荷物棚がスライドして出てくる構造のものが知られている。
【先行技術文献】
【特許文献】
【０００３】
【特許文献１】特開２０１４−０８３８５８号公報
【発明の概要】
【発明が解決しようとする課題】
【０００４】
前述した従来の収納装置の場合、荷物棚は、予め荷室のスペースに合わせて製作しておく必要があり、所謂、自動車ごとに専用のものを製作する必要があった。しかも、前述した通り、リンク機構を介して荷物棚がスライド自在に出し入れされる構造は非常に複雑であるため、実質的には自動車ごとの組み込み作業によって実現されるものであった。
【０００５】
そのため、用途が荷物を配達のための業務用車両に限定され、一般の自家用自動車には設置できないものであった。
【０００６】
また、近年、ＳＵＶやミニバン等の大幅な増加に伴って、車中泊やキャンプを行うユーザーが増え、そのため、車中泊のための寝具や食事のための食器、食品および調理器具、並びに衣類といった多くの荷物を後部荷室に積み込む必要があるが、後部荷室のスペースを有効に活用するための収納装置がなかったため、後部荷室に前述した種々の荷物を適当に積み重ねて収納する場合が多い。しかしながら、適当に積み上げられた荷物は、自動車の走行中に荷崩れを起こし易い。
【０００７】
この他、前述した車中泊に使用するための組立て式ベットが市販されているが、これは後部荷室および後部座席を含む広範な車内スペースに人が横たわれる寝台を形成するためのもので、荷物を収納するものではなかった。
【０００８】
本発明の目的は、ＳＵＶやミニバン等の種々の自動車の後部荷室や家庭のキッチン等に簡単に設置することができ、しかも荷物の量やサイズに合わせて収納スペースの調整が可能な収納棚装置を提供することにある。
【課題を解決するための手段】
【０００９】
請求項１記載の本発明は、互いに略同サイズの方形の底板、天板および棚板を備え、底板の四隅に回転自在に立設された雄ネジ支柱が棚板の四隅を貫通して天板まで伸び、棚板における前記雄ネジ支柱の貫通部分には、該雄ネジ支柱と螺合する雌ネジ孔が形成され、各雄ネジ支柱の上部または下部にスプロケットまたはプーリーが装着され、各スプロケットにはチェーンが架け渡され、各プーリーにはベルトが架け渡され、これらチェーンまたはプーリーを介して手動または電動で各雄ネジ支柱を正逆回転させることで棚板が昇降自在となされており、底板の各角部からその上方の棚板および天板の各角部まで伸びる横断面略Ｌ字状のガイドフレームを更に有し、各ガイドフレームの内面軌道部に沿って棚板が昇降することを特徴とする収納棚装置である。
なお、本発明に係る収納棚装置においては、前記雄ネジ支柱と雌ネジ孔との螺合について、所謂ボールネジを使用することも含まれる。
【００１０】
請求項２記載の本発明は、互いに略同サイズの方形の底板、天板および棚板を備え、底板の四隅に回転自在に立設された雄ネジ支柱が棚板の四隅を貫通して天板まで伸び、棚板における前記雄ネジ支柱の貫通部分には、該雄ネジ支柱と螺合する雌ネジ孔が形成され、各雄ネジ支柱の上部または下部にスプロケットまたはプーリーが装着され、各スプロケットにはチェーンが架け渡され、各プーリーにはベルトが架け渡され、これらチェーンまたはプーリーを介して手動または電動で各雄ネジ支柱を正逆回転させることで棚板が昇降自在となされており、底板、棚板および天板の各両側および各後側を覆う両側壁部と後側壁部を備えたガイドジャケットを更に有し、ガイドジャケットの両側壁部と後側壁部の内面軌道部に沿って棚板が昇降することを特徴とする収納棚装置に係るものである。
【００１１】
請求項３記載の本発明は、前記請求項１または請求項２記載の収納棚装置について、各雄ネジ支柱に装着されたチェーンまたはプーリーに係合する駆動スプロケットまたは駆動プーリーを更に有し、これら駆動スプロケットまたは駆動プーリーが手動／電動切り換え手段によって、ハンドルまたはモータで選択的に回動するようになされていることを特徴とする。
【００１２】
請求項４記載の本発明は、前記請求項１または請求項２記載の収納棚装置について、いずれかの雄ネジ支柱が、一対の噛み合うベベルギアを介して手動または電動で直接的に回転し、他の雄ネジ支柱がチェーンまたはスプロケットを介して従動することを特徴とする。
【発明の効果】
【００１３】
本発明に係る収納棚装置は、前述した構成であるため、ＳＵＶやミニバンといった種々の自家用自動車の荷室に簡単に載置することができ、従来の専用品のような組み込み設置作業も不要である。また、自動車以外の一般家庭の流し台や洗面、或いはクローゼット等の収納スペースにも簡単に設置でき、これら収納スペースにおけるデッドスペースの発生を解消して有効な収納空間を形成することができる。
【００１４】
そして、本発明に係る収納棚装置では、各雄ネジ支柱に架け渡されたチェーンまたはベルトを介して手動または電動で各雄ネジ支柱を正逆回転させるだけで底板と天板との間の棚板が昇降して該棚板の上方の天板との間隔および棚板の下方の底板との間隔を収納する荷物の量やサイズに合わせて適宜調整変更することができるため、前記自動車の荷室の他、一般家庭におけるキッチンやクローゼット等における収納スペースの有効活用が可能となる。
【００１５】
更に、ガイドジャケットやガイドフレームを備えた本発明の収納棚装置によれば、前述した棚板の昇降がより安定的に行え、しかも収納装置全体としての強度が高められるため、特に自動車の荷室に載置した場合に、走行中の揺れ等に対していっそう強固に対応することができる。
【図面の簡単な説明】
【００１６】
【図１】本発明の実施形態に係る収納棚装置が載置されたワンボックスカーのハッチバックを開いた状態の正面図である。
【図２】同実施形態に係る収納棚装置の断面図である。
【図３】図２におけるＡ−Ａ線断面図である。
【図４】図２におけるＢ−Ｂ線断面図である。
【図５】図４と同位置における断面図であって、ガイドジャケットをガイドフレームに変更した場合を示す。
【図６】本発明の他の実施形態に係る収納棚装置の断面図である。
【発明を実施するための形態】
【００１７】
次に、本発明の実施形態を図面にしたがって説明するが、本発明はかかる実施形態に限定されるものではない。
【００１８】
図１〜図４に示すように、本実施形態に係る収納棚装置１は、例えばミニバン等のワンボックスカーＣＢの後部荷室ＢＲに載置されて、該後部荷室ＢＲのスペースの有効利用を図るために用いられる。
【００１９】
収納棚装置１は、互いに略同サイズの方形の底板２、天板３および棚板４を備え、底板２の四隅に回転自在に立設された雄ネジ支柱５が棚板４の四隅を貫通して天板３まで伸び、棚板４における前記雄ネジ支柱５の貫通部分には、該雄ネジ支柱５と螺合する雌ネジ孔６が形成され、各雄ネジ支柱５の下部にスプロケット７が装着され、各スプロケット７にはチェーン８が架け渡され、これらチェーン８を介して電動モータＭで各雄ネジ支柱５を正逆回転させることで棚板４が昇降自在となされているものである。
【００２０】
なお、前記スプロケット７はプーリーに、前記チェーン８はベルトに変更される場合もある。
【００２１】
雄ネジ支柱５は、その上下両端部５ａ・５ｂが底板２と天板３内に組み込まれた軸受部材としてのボールベアリング９によって回転自在に立設されている。
【００２２】
また、雌ネジ孔６は、本実施形態では、棚板４内に内設されたナット１１によって形成されている。
【００２３】
更に、本実施形態の収納棚装置１では、各雄ネジ支柱５に装着されたチェーン８に係合する駆動スプロケット１２の支軸１３に手動／電動切り換え手段として、下端部がモータＭと連結され、上端部にはＬ字形のハンドルＨの基部が嵌め入れられる方形穴１４が形成されている。そして、このような切り換え手段によって、ハンドルＨとモータＭで選択的に雄ネジ支柱５が回動するようになされている。すなわち、前記手動／電動切り換え手段である支軸１３と方形穴１４によって、手動または電動で駆動スプロケット１２が自転する。そのため、方形穴１４に前記ハンドルＨが装着されていない場合には、モータＭによって電動で雄ネジ支柱５が回動され、ハンドルＨが前記方形穴１４に装着されている場合には、モータＭを使用せず（省略）、ハンドルＨを回して棚板４を回動させる。
【００２４】
なお、雄ネジ支柱５を正逆に回転させるための機構は、既に公知の種々のものを利用する。例えばモータＭでは、減速装置や正逆回転の切り替えを行う制御回路基盤を設けたり、手動ハンドルＨの場合は、双方向の機械的な回転構造とする。
【００２５】
また、本実施形態の収納棚装置１は、前述した底板２、天板３および棚板４の各両側および各後側を覆う両側壁部１５ａと後側壁部１５ｂを備えたガイドジャケット１５が設けられ、ガイドジャケット１５の両側壁部１５ａと後側壁部１５ｂの内面軌道部１６に沿って棚板４が昇降する構造となされている。
【００２６】
図５に示すように、本発明に係る収納棚装置１では、前述した両側壁部１５ａと後側壁部１５ｂを備えたガイドジャケット１５に代えて、底板２の各角部２ａからその上方の天板３および棚板４の各角部３ａ・４ａまで伸びる横断面略Ｌ字状のガイドフレーム３５を設ける場合もある。この場合、ガイドフレーム３５の内面軌道部３５ａに沿って棚板４が昇降する。
【００２７】
図６に示すように、本発明の収納棚装置２１は、前述した収納棚装置１と同様の基本構成とし、棚板４の昇降機構を変更したものである。
【００２８】
すなわち、収納棚装置２１は、互いに略同サイズの方形の底板２２、天板２３および棚板２４を備え、底板２２の四隅に回転自在に立設された雄ネジ支柱２５が棚板２４の四隅を貫通して天板２３まで伸び、棚板２４における前記雄ネジ支柱２５の貫通部分には、該雄ネジ支柱２５と螺合する雌ネジ孔２６が形成され、各雄ネジ支柱２５の下部にスプロケット２７が装着され、各スプロケット２７にはチェーン２８が架け渡され、これらチェーン２８を介して電動モータＭで各雄ネジ支柱２５を正逆回転させることで棚板２４が昇降自在となされているものである。
【００２９】
そして、本実施形態の収納棚装置２１では、その側方に前記モータＭを設置し、該モータＭの駆動シャフトＭ１の先端と隣り合う１本の雄ネジ支柱２５の下端部とに互いに噛み合うべべルギア３１・３２が取り付けられ、これらべべルギア３１・３２を介して各雄ネジ支柱２５が正逆に回転することで、棚板２４が昇降する構造となされている。
【００３０】
なお、図中２９は軸受部材としてのボールベアリングを示す。
【産業上の利用可能性】
【００３１】
本発明の収納棚装置によれば、昇降する棚板の位置によって、該棚板と底板並びに該棚板と天板の間隔を収納しようとする荷物の量やその大きさに合わせて適宜変更し得るため、自動車用品やキッチン用品等の分野において幅広い利用が期待できる。
【符号の説明】
【００３２】
１・２１  収納棚装置
２・２２  底板
３・２３  天板
４・２４  棚板
５・２５  雄ネジ支柱
６・２６  雌ネジ孔
７・２７  スプロケット
８・２８  チェーン
１５  ガイドジャケット
３５  ガイドフレーム
Ｍ  モータ
Ｈ  ハンドル